(57)【要約】【課題】共同住宅の狭いパイプシャフト内にも容易に収納、設置できるように流水検知装置全体のコンパクト化、小型化を図る。【解決手段】流水検知弁本体４の正面側に、タイマー部５と端子台部７を収納した収納ボックス１３を、流水検知弁本体４の一側面側に弁キャップ９及び制御弁１０のハンドル１１を、流水検知弁本体４の他側面側に排水試験弁部１２をそれぞれ配置する。【選択図】　　　図１
2004117240.tif 000002
【特許請求の範囲】
【請求項１】
流水検知弁本体、タイマー部、端子台部、流水検知弁本体内点検用の弁キャップ、制御弁及び排水試験弁部を備えた共同住宅用スプリンクラー消火設備の流水検知装置において、前記流水検知弁本体の正面側に、前記タイマー部と前記端子台部を収納した収納ボックスを、前記流水検知弁本体の一側面側に前記弁キャップ及び前記制御弁のハンドルを、前記流水検知弁本体の他側面側に前記排水試験弁部をそれぞれ配置してなることを特徴とする、流水検知装置。
【請求項２】
前記流水検知弁本体の流路出口部の外周に、二次側給水配管と接続するためのフランジを一体に張出し形成している、請求項１記載の流水検知装置。
【発明の詳細な説明】
【０００１】
【発明の属する技術分野】
本発明は、共同住宅用スプリンクラー消火設備に用いられる湿式の流水検知装置に関する。
【０００２】
【従来の技術】
この種の流水検知装置には、検知の手段によりパドル型、流水作動弁型および自動警報弁型があるが、いずれも流水検知弁本体（流水検知装置本体）、制御弁、タイマー部（流水警報用遅延機構）、タイマー部や制御弁、点検用スイッチ等の端子が結線された端子台部、及び排水試験弁部を備えるという基本的構成が採用される（例えば、特許文献１参照。）。
【０００３】
上記特許文献１には記載されていないが、上記流水検知装置において流水検知弁本体に、該本体内の弁部のゴミ詰まり等を点検するときに開けられる点検用の弁キャップを設けることは公知である。
また、この流水検知装置を共同住宅のパイプシャフト内に配管接続し設置するときには、設置後の流水検知弁本体内の点検のために弁キャップが正面に向くように、また設置後の住宅受信機や住宅情報盤への接続のために端子台部がこれ専用の収納箱に収納された状態で正面又は一側面に向くように設置されることも公知である。
【０００４】
【特許文献１】
特開平９−１２２２６６号公報（第３〜６頁、図２，図５）
【０００５】
【発明が解決しようとする課題】
しかるに、端子台部と弁キャップが流水検知弁本体の正面側に上下に並べて配置される流水検知装置では、縦方向に長いものとなり、また弁キャップと端子台部が流水検知弁本体の正面側に左右に並べて配置される流水検知装置では、横方向に広いものとなるため、いずれにおいても共同住宅の余り広大なスペースがないパイプシャフト内には設置し難くなる。況して、共同住宅のパイプシャフト内に、本装置以外の水道や電気、ガス等の配管やメーター等も設置される場合にあってはパイプシャフト内が混み合って設置し難くなるし、設置後の保守点検作業も困難になるのであった。
【０００６】
本発明の目的は、このような問題を解決するためになされたもので、流水検知装置全体のコンパクト化、小型化を図り、もって余り広大なスペースがないパイプシャフト内にも容易に設置できる共同住宅用スプリンクラー消火設備の流水検知装置を提供することにある。
【０００７】
【課題を解決するための手段】
本発明は、流水検知弁本体、タイマー部、端子台部、流水検知弁本体内点検用の弁キャップ、制御弁及び排水試験弁部を備えた共同住宅用スプリンクラー消火設備の流水検知装置において、前記流水検知弁本体の正面側に、前記タイマー部と前記端子台部を収納した収納ボックスを、前記流水検知弁本体の一側面側に前記弁キャップ及び前記制御弁のハンドルを、前記流水検知弁本体の他側面側に前記排水試験弁部をそれぞれ配置してなることに特徴を有するものである。
【０００８】
この場合において、前記流水検知弁本体の流路出口部の外周に、二次側給水配管と接続するためのフランジを一体に張出し形成することができる。
【０００９】
【作用】
上記構成の流水検知装置は、流水検知弁本体の正面側に、タイマー部と端子台部を収納した収納ボックスを、一側面側に弁キャップ及び制御弁のハンドルを、他側面側に排水試験弁部をそれぞれ配置することにより、従来例の、端子台部と弁キャップが流水検知弁本体の正面側に上下に並べて配置される流水検知装置や、弁キャップと端子台部が流水検知弁本体の正面側に左右に並べて配置される流水検知装置に比べ、流水検知装置全体を縦方向及び横方向にコンパクト化できる。またタイマー部と端子台部はひとつの収納ボックスに収納したことにより、従来のようにタイマー部と端子台部とをそれぞれ専用の収納ボックスに収納していた場合に比べ、コンパクト化を図れる。
【００１０】
流水検知弁本体の流路出口部の外周に、二次側給水配管と接続するためのフランジを一体に張出し形成することで、更に縦方向のコンパクト化を図れる。
【００１１】
【発明の実施の形態】
以下、本発明の好適な実施形態を図面に基づき説明する。図１は本発明の一実施例を示す流水検知装置の正面図、図２は図１の流水検知装置の側面図、図３は図１の流水検知装置のタイマー部と端子台部の内部正面図、図４は図１の流水検知装置の流水検知弁本体の断面図である。
【００１２】
図１、図２において、本発明の対象とする共同住宅用スプリンクラー消火設備の流水検知装置は、従来公知の流水検知装置と同様に、給水配管１の途中に接続され、図４に示すごとく弁体２及び弁座３を内蔵する流水検知弁本体（流水検知装置本体）４と、タイマー部（流水警報用遅延機構）５と、図３に示すごとくタイマー部５や後述の制御弁１０、点検用スイッチ６等の端子が結線され、現地施工で住宅受信機や住宅情報盤等に接続される端子台部７と、図４に示すごとく流水検知弁本体４の一部に開口した点検口８にねじ込まれ、流水検知弁本体４内の弁部のゴミ詰まり等を点検するときに開けられる流水検知弁本体内点検用の弁キャップ９と、流水検知弁本体４の一次側に設置され、流水検知弁本体４内への流水を開閉することでスプリンクラーヘッド等からの放水、放水停止を行う制御弁１０、制御弁１０のハンドル１１及び流水検知装置の試験を行う排水試験弁部１２と、を備える。
【００１３】
図３に例示する作動弁型の流水検知装置のタイマー部５は次のように作動する。
流水検知弁本体４内への流水により弁体２が全開すると、弁体２の弁軸１５と一体に結合されているタイマーのレバー１６も弁体２の回転と同時に矢印Ａの方向に回転し、このレバー１６に取り付けられたスプリング１７が引き伸ばされて、その力によりギヤー１８もロータリーダンパー１９の抵抗によってゆっくりと矢印Ｂの方向へ回転を始める。流水後一定の遅延時間が経過すると、ギヤー１８と一体成形の裏面のカム（図示せず）が２個の流水信号スイッチ（マイクロスイッチ）２０をほぼ同時にオンする。流水が止まると、弁体２が自重によって閉止するのと一体になって、レバー１６は破線の位置に戻る。この時ロータリーダンパー１９は無負荷になっているためギヤー１８に抵抗を与えず、レバー１６は早急に破線の位置に戻る。
【００１４】
自動警報弁型の流水検知装置のタイマー部５においては、流水検知弁本体４内の流水経路の弁開放により警報発信部（圧力スイッチ）（図示せず）へ圧力水が加わり、警報発信部を作動させ、一定の遅延時間の経過後に警報を発信させる。
【００１５】
本発明は上記構成の流水検知装置において、タイマー部５と端子台部７はひとつの収納ボックス１３に収納し、この収納ボックス１３を流水検知弁本体４の正面側に配置する。また弁キャップ９と制御弁１０のハンドル１１は流水検知弁本体４の一側面側に上下にして配置する。さらに排水試験弁部１２は流水検知弁本体４の他側面側に配置する。流水検知弁本体４の流路出口部の外周には二次側給水配管と接続するためのフランジ１４を一体に張出し形成する。
【００１６】
このようなタイマー部５、端子台部７、弁キャップ９、制御弁１０のハンドル１１および排水試験弁部１２の流水検知弁本体４に対する配置構成を採ることにより、従来例の、端子台部と弁キャップが流水検知弁本体の正面側に上下に並べて配置される流水検知装置や、弁キャップと端子台部が流水検知弁本体の正面側に左右に並べて配置される流水検知装置に比べ、流水検知装置全体を縦方向及び横方向にコンパクト化できる。さらにタイマー部５と端子台部７をひとつの収納ボックス１３に収納したことによってもコンパクト化に貢献できる。したがって、上記流水検知装置は共同住宅の狭いパイプシャフト内にも容易に収納、設置することができるに至った。
【００１７】
【発明の効果】
本発明によれば、流水検知装置全体のコンパクト化、小型化を図ることができるので、共同住宅の狭いパイプシャフト内にも容易に収納、設置することができ、パイプシャフト内を有効に活用できる。流水検知装置全体のコンパクト化による部材の減少、コストの低減を図れる。更に、タイマー部と端子部をひとつの収納ボックスに一緒に収納することで、配線の外部引き回しが不要となり、配線作業が容易に行え、また一つの収納ボックスを共用するためコストダウンも図れるという利点がある。
【図面の簡単な説明】
【図１】本発明の一実施例を示す流水検知装置の正面図である。
【図２】図１の流水検知装置の側面図である。
【図３】図１の流水検知装置のタイマー部と端子台部の内部正面図である。
【図４】図１の流水検知装置の流水検知弁本体の断面図である。
【符号の説明】
４　流水検知弁本体
５　タイマー部
７　端子台部
９　弁キャップ
１０　制御弁
１１　制御弁のハンドル
１２　排水試験弁部
１３　収納ボックス
１４　フランジ
【図１】
2004117240.tif 000003
【図２】
2004117240.tif 000004
【図３】
2004117240.tif 000005
【図４】
2004117240.tif 000006